(57)【要約】【課題】  本発明は、２つの発光点を持つレーザパッケージ内のそれら２つの発光点を、略同心円状に多数本形成されたトラックを有するディスク上の、互いに所定本数離れた２本のトラックにそれぞれ結像させる光学系を構成する、上記レーザパッケージとコリメータレンズとを備えた光源ユニットの調整方法に関し、複数の発光点からの光を、ディスク上の所望の各トラックに正確に照射する調整方法を提供する。【解決手段】  レーザパッケージ１０をコリメータレンズ５０の光軸に垂直な面内で移動させることによる光軸調整と、レーザパッケージ１０内の２つの発光点それぞれとコリメータレンズ５０との間の各距離を等距離にするための、レーザパッケージ１０の傾き調整と、レーザパッケージ１０とコリメータレンズ５０との間の光軸方向の距離調整と、レーザパッケージ１０とコリメータレンズ５０とを一体とした、光軸まわりの回転角度調整とを行なう。【選択図】        図５
2006260663.tif 000002
【特許請求の範囲】
【請求項１】
２つの発光点を持つレーザパッケージ内の該２つの発光点を、略同心円状に多数本形成されたトラックを有するディスク上の、互いに所定本数離れた２本のトラックにそれぞれ結像させる、前記レーザパッケージとともに光源ユニットを構成するコリメータレンズと該ディスク近傍に配置される対物レンズとを含む光学系を構成する、該光源ユニットの調整方法であって、
前記レーザパッケージを前記コリメータレンズの光軸に垂直な面内で移動させることによる光軸調整と、
前記レーザパッケージ内の２つの発光点それぞれと前記コリメータレンズとの間の各距離を等距離にするための、前記レーザパッケージの傾き調整と、
前記レーザパッケージと前記コリメータレンズとの間の光軸方向の距離調整と、
前記レーザパッケージと前記コリメータレンズとを一体とした、光軸まわりの回転角度調整とを行なうことを特徴とする光源ユニットの調整方法。
【請求項２】
前記光源ユニットが、
前記コリメータレンズを光軸方向への移動可能に支持するレンズ支持部材と、
前記レンズ支持部材の後端に突き当てられ、前記レンズ支持部材に対し、光軸に垂直な二軸方向への移動が自在な突当て部材と、
前記レーザパッケージを保持するとともに前記突当て部材背面に突き当てられ、該突当て部材に対し光軸に垂直な一軸に回動が自在な突当て冶具とを備えたものであって、
前記光軸調整を、前記突当て部材を前記二軸方向に移動させることにより行ない、
前記傾き調整を、前記突当て冶具を前記一軸のまわりに回動させることにより行ない、
前記距離調整を、前記レンズ支持部材に支持された前記コリメータレンズを光軸方向に移動させることにより行ない、
前記回転角度調整を、この光源ユニットを光軸まわりに回動させることにより行なうことを特徴とする請求項１記載の光源ユニットの調整方法。
【発明の詳細な説明】
【技術分野】
【０００１】
本発明は、２つの発光点を持つレーザパッケージ内のそれら２つの発光点を、略同心円状に多数本形成されたトラックを有するディスク上の、互いに所定本数離れた２本のトラックにそれぞれ結像させる、上記レーザパッケージとともに光源ユニットを構成するコリメータレンズとディスク近傍に配置される対物レンズとを含む光学系を構成する、上記光源ユニットの調整方法に関する。
【背景技術】
【０００２】
従来より光ディスクや光磁気ディスクなど光を利用してデータの書込みや読出しを行なうタイプのディスク状の記憶媒体が多用されている。
【０００３】
このような記憶媒体へのアクセスを高速化する試みが行なわれている。
【０００４】
その１つとして、記憶媒体（ディスク）の回転速度を上げることによってアクセス速度を向上させることが行なわれている。しかしながら、回転速度を上げるにも限界があり回転速度を上げ過ぎるとアクセスエラーの増加やディスクの破損につながる。
【０００５】
アクセス高速化の別な試みとして、例えば特許文献１、２には、複数の発光素子を用いてディスク上の複数点について同時にアクセスすることが提案されている。
【特許文献１】特開２０００−２２２７６８号公報
【特許文献２】特表２００２−５０７０４０号公報
【発明の開示】
【発明が解決しようとする課題】
【０００６】
複数の発光素子を用いる場合の典型例として、それら複数の発光素子は互いにかなり近づいた位置（例えば５０μｍ〜１８０μｍ）に配置する必要があることから、１つの半導体レーザ（ＬＤ）パッケージ内に、それぞれが半導体レーザとして発光する複数の発光点を配置することが考えられる。この場合、複数の発光点から射出した光のスポットをディスク上のそれぞれ所望のトラックに正確に照射するためには、ＬＤパッケージ内の発光点どうしの間隔精度を、トラック横断方向（ディスクの半径方向）について一例として±０．３μｍ、光軸方向について一例として±３．３μｍ程度に押える必要がある。これに対し、１つのＬＤパッケージに複数の発光点を配置した場合の実際の位置精度としては、光軸と直交する方向について一例として±３μｍ、光軸方向の位置ずれは一例として±５μｍ程度存在し、このままでは、ＬＤパッケージ内の発光点の位置誤差が大き過ぎてディスク上の各所望のトラックにそれぞれ正確な光スポットを形成することは不可能である。上掲の特許文献１、２の技術では、この位置誤差の問題の解決は望めない。
【０００７】
本発明は、上記事情に鑑み、例えば上記のような、必要な位置精度を越える位置誤差を有する複数の発光点を持つレーザパッケージを含む光源ユニットから射出された、それら複数の発光点からの光を、ディスク上の所望の各トラックに正確に照射するための、光源ユニットの調整方法を提供することを目的とする。
【課題を解決するための手段】
【０００８】
上記目的を達成する本発明の光源ユニットの調整方法は、２つの発光点を持つレーザパッケージ内のそれら２つの発光点を、略同心円状に多数本形成されたトラックを有するディスク上の、互いに所定本数離れた２本のトラックにそれぞれ結像させる、上記レーザパッケージとともに光源ユニットを構成するコリメータレンズとディスク近傍に配置される対物レンズとを含む光学系を構成する、上記光源ユニットの調整方法であって、
レーザパッケージをコリメータレンズの光軸に垂直な面内で移動させることによる光軸調整と、
レーザパッケージ内の２つの発光点それぞれとコリメータレンズとの間の各距離を等距離にするための、レーザパッケージの傾き調整と、
レーザパッケージとコリメータレンズとの間の光軸方向の距離調整と、
レーザパッケージとコリメータレンズとを一体とした、光軸まわりの回転角度調整とを行なうことを特徴とする。
【０００９】
本発明によれば、レーザパッケージ内の発光点を２つに限定し、レーザパッケージ内に１つの発光点しかない従来の光源ユニットの調整に必要な、上記の光軸調整と距離調整とに加え、新たに上記の傾き調整と回転角度調整とを行なうものであるため、２つの発光点それぞれから発せられた各光を、ディスク上のそれぞれ所望のトラックに、トラック横断方向（ディスクの半径方向）についても光スポットの深さ方向（光軸方向）についても正確に照射することができるように調整することができる。
【００１０】
ここで、上記本発明の光源ユニットの調整方法において、上記光源ユニットが、
コリメータレンズを光軸方向への移動可能に支持するレンズ支持部材と、
レンズ支持部材の後端に突き当てられ、そのレンズ支持部材に対し光軸に垂直な二軸方向への移動が自在な突当て部材と、
レーザパッケージを保持するとともに突当て部材背面に突き当てられ、その突当て部材に対し光軸に垂直な一軸のまわりに回動して２つの発光点から射出するレーザ光のその一軸のまわりに回動が自在な突当て冶具とを備えたものであって、
上記光軸調整を、突当て部材を上記二軸方向に移動させることにより行ない、
上記傾き調整を、突当て冶具を上記一軸のまわりに回動させることにより行ない、
上記距離調整を、レンズ支持部材に支持されたコリメータレンズを光軸方向に移動させることにより行ない、
上記回転角度調整を、この光源ユニットを光軸まわりに回動させることにより行なうことが好ましい。
【００１１】
上記のような構成の光源ユニットを採用すると、上述した４つの調整、すなわち、上述の光軸調整、傾き調整、距離調整、および回転角度調整を容易かつ高精度に行なうことができる。
【発明の効果】
【００１２】
以上の本発明によれば、必要な位置精度を越える位置誤差を有する２つの発光点を持つレーザパッケージを用いても、それら２つの発光点それぞれから射出した光がディスク上のそれぞれ所望のトラック上に正確に照射されるように調整することができる。
【発明を実施するための最良の形態】
【００１３】
以下、本発明の実施の形態について説明する。
【００１４】
図１は、光ディスク装置の機構の概要を示す斜視図である。
【００１５】
例えばアルミニウム製のドライブベース１００上に光ディスク２００を回転駆動するスピンドルモータ１０１が固定されている。また、ここには、対物レンズ１１１や電磁コイル１１２を備えた可動機構部１１０、およびその可動機構部１１０を挟むように配置された永久磁石１２１が備えられている。電磁コイル１１２と永久磁石１２１を有する磁気回路はＶＣＭ（ボイスコイルモータ）を構成しており、その電磁コイル１１２に電流を供給すると、その電磁コイル１１２を流れる電流と磁気回路との相互作用により可動駆動部１１０が矢印Ａ−Ａ’方向に移動する。対物レンズ１１１には、レーザダイオード、そのレーザダイオードから射出したレーザ光を平行光束にするコリメータレンズ、および光信号をピックアップするピックアップ光学系等を備えた固定光学部１３０からレーザ光が供給されて、その対物レンズ１１１から射出し、光ディスク２００に光スポットが照射されて反射し、その反射光は再び対物レンズ１１１を通って固定光学部１３０に戻り、光ディスク２００に記憶された情報が取り出される。
【００１６】
図２は、２つの発光点を持つレーザパッケージの概念図である。
【００１７】
レーザパッケージ１０内には２つの発光点１０ａ，１０ｂが存在する。発光点１０ａ，１０ｂどうしの間隔が近過ぎるとレーザ素子に熱的な負担がかかるためあまり近づけることはできず、一方、離し過ぎると対物レンズの画角に負担となる。これらの点から、発光点１０ａ，１０ｂどうしの間隔は５０μｍ以上１００μｍ前後が目安といわれている。
【００１８】
これら２つの発光点１０ａ，１０ｂから発せられたレーザ光束１１ａ，１１ｂは、図２に示すように、そのかなりの部分が重なる光路を進み、コリメータレンズ２０に到達して平行光束に変換される。
【００１９】
図３は、光ディスク上の方向の定義の説明図である。
【００２０】
光ディスク２００上には、ほぼ同心円状（実際は螺旋状）に多数本の情報記録のトラック２１０が形成されており、そのトラック上に光スポット１０ｃ，１０ｄが照射されて情報の書込みや読出しが行なわれる。
【００２１】
ここでは、トラックの延びる方向（光ディスク２００の円周方向）を「トラック方向」と称し、トラックを横断する方向（光ディスク２００の半径方向）を「トラック横断方向」と称する。
【００２２】
図４は、円筒面座突当て治具とレーザパッケージとの関係を示す説明図、図５は、光源ユニットの、光軸に沿う方向の断面図、図６は、光源ユニットを構成するレンズ鏡胴の斜視図である。
【００２３】
図５に示すような光源ユニット１を構成するにあたっては、図２を参照して説明した２つの発光点を有するレーザパッケージ１０が円筒面座突当て治具２０に対し、図４（Ａ）に示す矢印の方向に嵌入され、図４（Ｂ）に示すように、そのレーザパッケージ１０の射出方向先端部分がその円筒面座突当て治具２０から少し突き出た状態に接着剤等により接合される。
【００２４】
この円筒面座突当て治具２０はその前面に円筒凸面２１を有し、また、その円筒面座突当て治具２０の中央にはレーザパッケージ１０が嵌入する開口（不図示）が形成されている。
【００２５】
図５に示す光源ユニット１は、図４を参照して説明した、レーザパッケージ１０に接合された円筒面座突当て治具２０と、突当て板３０と、レンズ鏡胴４０と、コリメータレンズ５０とから構成されている。
【００２６】
突当て板３０の背面には円筒面座突当て治具２０の円筒凸面２１と形状の合った円筒凹面３１が形成されており、円筒面座突当て治具２０の円筒凸面２１がその突当て板３０の円筒凹面３１に突き当てられている。
【００２７】
また、突当て板３０の前面の突当て面３２は、図６に示すような円筒状（あるいは半円筒状（不図示））のレンズ鏡胴４０の背面に突き当てられている。さらにレンズ鏡胴４０の中空部には、コリメータレンズ５０が配置されている。
【００２８】
ここで、図５には方向の定義が示されており、コリメータレンズ５０の光軸方向がｚ方向、そのｚ方向に垂直であって、かつこの図５の紙面に沿った方向からｘ方向、ｚ方向とｘ方向との双方に垂直な、図５の紙面前面から紙面裏面に向かう方向をｙ方向と定義する。
【００２９】
また、図５に示すθｙ，θｚは、それぞれｙ軸に平行な回転軸のまわりの回転、ｚ軸に平行な回転軸のまわりの回転をあらわしている。
【００３０】
図５に示す光源ユニット１は、調整前（固定前）は、レンズ鏡胴４０を固定して考えたとき、コリメータレンズ５０がｚ方向に移動してその位置が調整され、突当て板３０がｘ方向とｙ方向との二軸方向に平行移動する。さらに円筒面座突当て治具２０は、ｙ軸と平行な回転軸を持つ回転方向（θｙ方向）に回動する。さらに、この光源ユニット１が一体となって、ｚ軸を回転軸とする回転方向（θｚ方向）に回動する。
【００３１】
図７は、光源ユニット１の調整のための測定装置の模式図である。
【００３２】
この測定装置２は、図５に示す構造の光源ユニット１が載せられる二軸回転ステージ６０と、光源部７０と、オートコリメータ部８０と、自発光波面測定部９０と、いくつかのビームスプリッタ７１，７２やミラー７３、さらに図示しない、オートコリメータ部８０におけるレーザ光の照射位置を検出するＣＣＤセンサや、自発光波面測定部９０で得られた干渉縞を検出するＣＣＤセンサや干渉縞分析装置等から構成されている。
【００３３】
ここでは、自発光波面測定部９０はラジアルシャリング型干渉タイプのものであり、この自発光波面測定部９０やオートコリメータ部８０を用いた測定原理は広く知られているため、ここでは、自発光波面測定部９０やオートコリメータ部８０の説明は、光源ユニット１の調整に必要な点に限って説明する。
【００３４】
二軸回転ステージ６０上には、光源ユニット１が載置されるが、この二軸回転ステージ６０は、図５に示すｙ軸に平行な、すなわち図７の紙面に垂直な回転軸のまわりに回動して光源ユニット１から射出されたレーザ光の進行方向を図７の紙面内で振るとともに、図５に示すｘ軸に平行な回転軸のまわりに回動して光源ユニット１から射出されたレーザ光の進行方向を図７の紙面に垂直な方向に振ることができ、この二軸の回動により光源ユニット１から射出したレーザ光の進行方向と測定装置２の光軸とを合わせることができるように構成されている。
【００３５】
光源部７０からは、オートコリメータ基準検出用の基準レーザ光７０ａが射出され、この基準レーザ光７０ａは、ビームスプリッタ７１を通過し、もう１つのビームスプリッタ７２で反射して光源ユニット１の基準面（例えばレンズ鏡胴４０の前面、あるいは不図示の、コリメータレンズ５０を直接に保持する保持部材前面等）に照射される。その基準面で反射して戻ってきた基準レーザ光は、ビームスプリッタ７２で反射し、ビームスプリッタ７１でも反射し、ミラー７３で反射してオートコリメータ部８０に入射する。図７には、オートコリメータ部８０における基準レーザ光による光スポットＳ０を白丸で表わす模式図８１が示されている。尚、この模式図８１中の、光スポットＳ０の両側の白丸で示す光スポットＳ１，Ｓ２は、レーザパッケージ１０から発せられた２つのレーザ光による、以下に示す調整を行なった後の光スポットＳ１，Ｓ２を表わしている。
【００３６】
自発光波面測定部９０には、ズームレンズ９１ａ、ピンホール９２ａ、カップリングレンズ９３ａ等からなる光学系と、ズームレンズ９１ｂ、ピンホール９２ｂ、カップリングレンズ９３ｂ等からなる光学系との２系統の光学系が備えられているが、これは、レーザパッケージ１０内に２つの発光点１０ａ，１０ｂが存在し（図２参照）、それら２つの発光点１０ａ，１０ｂのうちの一方の発光点から射出したレーザ光のみを２つのピンホール９２ａ，９２ｂのうちの一方のピンホールで抽出して参照波とし、２つの発光点１０ａ，１０ｂのうちの他方の発光点から射出したレーザ光のみを２つのピンホール９２ａ，９２ｂのうちの他方のピンホールで抽出して参照波とするための工夫である。
【００３７】
この自波光波面測定部９０の横には、この自波光波面測定部９０で得られる、２つの発光点１０ａ，１０ｂ（図２参照）からの各レーザ光による各干渉縞９４ａ，９４ｂが模式的に示されている。２つの発光点１０ａ，１０ｂからのレーザ光の干渉縞９４ａ，９４ｂを観察する際は、それら２つの発光点１０ａ，１０ｂを１つずつ順次に点灯してそれら２つの干渉縞９４ａ，９４ｂを順次に観察する。
【００３８】
ここでは、一例として以下の条件の下で光源ユニット１を調整するものとする。
【００３９】
・レーザパッケージ１０内の２つの発光点１０ａ，１０ｂから射出される２本のレーザ光の波長：いずれも４０５ｎｍ
・対物レンズ１１１（図１参照）：ＮＡ＝０．８５、焦点距離ｆ＝１．８ｍｍ
・コリメータレンズ５０：焦点距離ｆ＝１２ｍｍ
・ビーム整形倍率：２倍（トラック方向）
尚、ビーム整形プリズムは２つの分散の異なる硝材を接合して製作されているものとし、斜入射角度の若干のずれに対する射出角度ずれは２つのビームで同じになるようにそれぞれの分散を選択しているものとして、ここでは特に図示しない。
【００４０】
・レーザ発光点間隔：光軸（ｚ軸）方向      ０±５μｍ
：ｚ軸に直交する面内  ８０±３μｍ
・光ディスク上のスポット照射必要精度（２つのスポットそれぞれについて）
トラック横断方向：±０．０５μｍ
光軸（ｚ軸）方向：±０．０７５μｍ
上記の条件下では、要請されるスポット照射精度（トラック横断方向：±０．０５μｍ、光軸（ｚ軸）方向：±０．０７５μｍ）に収めようとすると、コリメータレンズ５０および対物レンズ１１１の焦点距離から定まる倍率の関係から、レーザパッケージ１０内の２つの発光点１０ａ，１０ｂ（図２参照）の位置精度を、
トラック横断方向：±０．３３３μｍ（＝０．０５×１２÷１．８）
光軸方向        ：±３．３３μｍ（＝０．０７５×１２2÷１．８2）
にする必要があるが、これは上述のレーザパッケージ１０内の２つの発光点１０ａ，１０ｂの製造上の公差（トラック横断方向：±３μｍ、光軸方向±５μｍ）よりもかなり厳しい値となっており、従来では複数光源の光ディスクは製造されていない。本実施形態は、光源ユニット１の調整により、製造適性をもたせようとするものである。
【００４１】
図５に示す光源ユニット１の各部の調整は、次の意味を持つ。
【００４２】
（ａ）円筒面座突当て治具のθｙの回動
レーザ発光点間隔０±５μｍの補正に起因する光ディスク上での光軸方向スポット照射精度を±０．０７５μｍとする。
【００４３】
（ｂ）突当て板３０のｘ，ｙ方向の移動
コリメータレンズ５０からの２つの射出光を光源ユニット基準面に対して均等な射出角度となるようにする。
【００４４】
（ｃ）コリメータレンズ５０のｚ方向の移動
２つの射出光を平行にする。平行度ずれの差分は円筒面座突当て治具２０のθｚで調整する。
【００４５】
（ｄ）光源ユニット全体の回転角度θｚ
発光点間隔８０±３μｍの誤差を補正し、トラック横断方向スポット照射精度を±０．０５μｍとする。
【００４６】
ここでは、図７に示す調整装置２を使って、以下の手順で光源ユニット１の調整が行なわれる。
【００４７】
図８は、図７のオートコリメータ部８０におけるＣＣＤセンサ（不図示）上の光スポットの位置および大きさを白丸で示した図である。
【００４８】
（１）光源部７０からの基準レーザ光７０ａを光源ユニット１の基準面に照射して、その基準面から反射してきた基準レーザ光による光スポット８０が図８（Ａ）に示すようにＣＣＤセンサの中心に来るように、二軸回転ステージ６０を、ｙ軸と平行な回転軸のまわり、およびｘ軸と平行な回転軸のまわりに回動させる。
【００４９】
ここで、２つの発光点の間隔とコリメータレンズの焦点距離とから、コリメータレンズから射出する２つのレーザ光は最大で
ｓｉｎ-1（８６μｍ÷１２ｍｍ）＝０．４１０６２ｄｅｇ      …（ａ）
の角度差をもつ。ここで８６μｍは２つの発光点の間隔８０μｍ±３μｍが最大に離れた場合の間隔８０μｍ＋６μｍ＝８６μｍであり、１２ｍｍはコリメータレンズの焦点距離である。
【００５０】
この（ａ）式で示される角度は、一般的なオートコリメータの視野に収まる角度である。
【００５１】
（２）次に円筒面座突当て治具２０のθｙの角度を、例えばその円筒面座突当て治具２０の背面と突当て部材３０の背面が目分量で平行となるように揃えておき、突当て部材３０をｘ方向およびｙ方向に動かして、図５のように、２つの発光点１０ａ，１０ｂからの射出レーザ光による２つの光スポットＳ１，Ｓ２の双方がオートコリメータ部のＣＣＤセンサ上に形成される状態とする。ここで、オートコリメータ部８０として、高倍率と低倍率の２視野に切り替えることのできるオートコリメータを採用すると、図８（Ｂ）の状態に至るまでの調整に要する時間を短縮することができる。
【００５２】
（３）図８（Ｂ）に示すようにＣＣＤセンサ上に２つの光スポットＳ１，Ｓ２が形成されるとそれ以降は自動調整が可能であり、２つの光スポットＳ１，Ｓ２の面積中心がオートコリメータの基準点（図８（Ａ）の光スポットＳ０の点）に対し対称な位置に来るように突当て板３０をｘ方向およびｙ方向に自動調整により移動させ、図８（Ｃ）の状態とする。
【００５３】
（４）次に図８（Ｃ）の状態にある２つの光スポットＳ１，Ｓ２とコリメータレンズ５０との位置関係を把握する。具体的には、コリメータレンズ５０をｚ軸方向に動かしながら、２つの光スポットＳ１，Ｓ２の最高輝度値や面積をリアルタイム計測し、２つの光スポットＳ１，Ｓ２の最高輝度値の平均値や面積の平均値などを評価関数としてコリメータレンズ５０の位置を仮決めする。図８（Ｄ）は、この仮決めを行なった時の光スポットＳ１，Ｓ２を模式的に示したものである。
【００５４】
（５）次に自発光波面測定部９０を用いて自発光観測を行なう。図７の自発光波面測定部９０は、レーザパッケージ１０内の２つの発光点１０ａ，１０ｂが中央値どおり８０μｍの間隔だった場合（２つの平行光束の傾き差がそれに相当する量の場合）に、２つの干渉縞９４ａ，９４ｂの双方から、Ｚｅｒｎｉｋｅのトラック横断方向チルト成分に相当する縞模様が無くなるように、すなわち、正しく調整した場合に双方の干渉縞９４ａ，９４ｂから縞模様が消えるように、２つの光路のズームレンズ９１ａ，９１ｂやピンホール９２ａ，９２ｂ、その他のミラー等の光学部材が設定されている。このため、２つの発光点の間隔が８０μｍからずれていた場合は、干渉縞９４ａ，９４ｂにはそのずれ分の縞紋様が発生する。すなわち、二軸回転ステージ６０を駆動して、２つの干渉縞９４ａ，９４ｂのうちの一方から縞模様が消えるように調整すると、もう一方の干渉縞の縞模様の縞の本数がその分増加する。
【００５５】
（６）自発光観測で得られたデフォーカス分の収差量やその符号に応じて、円筒面座突当て治具２０のθｙおよびコリメータレンズ５０のｚ方向位置を調整する。
【００５６】
（７）その後、図８（Ｄ）の如く中心位置が保たれているか否かを確認し、保たれていなければ突き当て板３０のｘ方向、ｙ方向の位置を調整する。
【００５７】
（８）最終的に２つの発光点１０ａ，１０ｂ双方のデフォーカス量が十分小さくなるまで、すなわち、双方の干渉縞９４ａ，９４ｂの同心円成分が十分小さく、十分に平行縞となるまで（６）、（７）を繰り返した後、光源ユニット１の各部を接着等で固定する。
【００５８】
波面収差計測を行なえば１０ｍλｒｍｓのデフォーカス誤差の検出は容易であり、ＮＡ＝０．８５では、このデフォーカス誤差は０．０３μｍに相当する。ここでは、光軸方向について±０．０７５μｍ以内とするように調整することを想定しており、これは±２５ｍλｒｍｓに相当する。したがって、この光軸方向±０．０７５μｍの調整は容易に達成できる。
【００５９】
また、ここでは、２つの発光点１０ａ，１０ｂからの射出レーザ光の波長はいずれも４０５ｎｍであるとしたが、２つの発光点１０ａ，１０ｂからの射出レーザ光の波長が互いに異なっている場合であっても、それぞれの波長が分っているときは、対物レンズに色収差補正機能がなくても、それを補正するように、コリメータレンズ５０から射出された後の２つのレーザ光にそれぞれわざとデフォーカス収差を残存させることも可能である。
【００６０】
図９は、上述の（６）〜（８）の調整シーケンスを示した模式図である。
【００６１】
２つの発光点１０ａ，１０ｂのうちの片側の発光点のみを点灯させての自発光測定を行なってＺｅｒｎｉｋｅのパワー値（デフォーカス収差）を計測し（図９（Ａ））、次いで２つの発光点１０ａ，１０ｂのうちのもう片側の発光点のみを点灯させての自発光測定を行なってＺｅｒｎｉｋｅのパワー値（デフォーカス収差）を計測し（図９（Ｂ））、それらＺｅｒｎｉｋｅのパワー値（デフォーカス収差）の２つの値から、円筒面座突当て治具２０のθｙの補正量およびコリメータレンズ５０のｚ方向の位置補正量を決定して調整する。その調整後、２つの発光点１０ａ，１０ｂからの射出レーザ光によるオートコリメータ部における光スポットＳ１，Ｓ２の位置を確認し（図９（Ｄ））、ずれていたときは、突き当て板３０をｘ方向あるいはｙ方向に移動させてそれら２つの光スポットＳ１，Ｓ２が光源ユニット１の基準面で反射してきた基準レーザ光による光スポットＳ０に対し均等な位置に来るように調整する（図９（Ｅ））。確認のため再度自発光測定を行なう。これを繰返していずれの発光点１０ａ，１０ｂからのレーザ光についてもＺｅｒｎｉｋｅのパワー値（デフォーカス収差）が所定値以下となるまで調整して、その後、光源ユニット１０の各部を接着等により固定する。
【００６２】
以上で、光源ユニット１の単体としての調整は終了であるが、次に光源ユニット１から射出した２つの光ビームが光ディスク上の互いに決められた本数離れたトラック上に照射されるように、光ディスクに対する、光源ユニット１の全体としての回転角度θｚを調整する。
【００６３】
（５）で説明したとおり、トラック横断方向のＺｅｒｎｉｋｅのチルト成分に相当する波面収差を計測すれば、すなわちトラック横断方向に相当する残存縞の本数を数えれば、２つの発光点１０ａ，１０ｂの、８０μｍからの間隔のずれ量が把握できるので、このずれ量を求めて、そのずれ量に応じて光源ユニット１の全体の回転角度θｚを調整してもよいが、光スポットが光ディスクのトラック上に照射され続けるように調整するトラッキング回路にはオフセットも存在するため、ここではそのオフセットを含めて一括して補正する方法について説明する。
【００６４】
図１０は、光源ユニット１を用いた光ディスク装置の模式図である。光源ユニット１から射出したレーザ光は、ピックアップ本体３を通過して光ディスク２００上に照射され、その光ディスク２００の反射光がピックアップ本体３に入射してトラッキングエラー検出センサ３ａによりトラッキングエラーが検出される。ピックアップ本体３およびトラッキングエラー検出センサ３ａの構成は広く知られており、ここでの詳細説明は省略する。ここでは、光源ユニット１の全体の、ｚ軸まわりの回転角度θｚが調整される。尚、ここでの調整の際は光ディスク２００としてあらかじめ所定の基準データが書き込まれた調整用の光ディスクが用いられる。
【００６５】
図１１は、以下に説明する調整方法の説明図である。
【００６６】
（９）２つの発光点１０ａ，１０ｂからの射出レーザ光によるトラッキングエラー信号のオフセット値が、２つのレーザ光について等しくなるように光源ユニット１をθｚ方向に回転する。
【００６７】
（１０）次に、実際に光ディスク２００からピックアップした信号のジッタを計測しながら微調整し（図１１（Ｂ））、この微調整後のオフセット値の差異が１５％を越えていないことを確認して（図１１（Ｃ））、光源ユニット１をその回転角度θｚのまま固定する。
【００６８】
トラック幅はおよそ０．３μｍであるため、振幅の１５％未満にオフセット差を抑えれば、目標の±０．０５μｍは達成出来る。振幅の１５％の検知は全く問題がない。
【００６９】
以上、従来、光源が単独であった際には突き当て板２のｘ，ｙおよびコリメータレンズｚの２つの調整箇所と３つの調整軸であったのに対し、本実施形態はあらたに円筒面座突当て治具２０のθｙおよび光源ユニット１の回転θｚという２つの調整手段を設けることにより、２つの発光点１０ａ，１０ｂからの２本のレーザ光を用いての光ディスクのアクセスを可能としている。
【００７０】
尚、２つの発光点どうしの間隔の設計中心値に対してばらつきを加味した最小間隔をΔとし、光ディスク上での２つの光スポットをそれぞれ照射する２つのトラックどうしの間隔をｎ×Ｔ（Ｔはトラック幅、ｎは整数）としたとき、
Δ＞ｎ×Ｔ              …（ｂ）
とする必要がある。この（ｂ）式の関係を満足するように設計しておくことにより、光源ユニット１の全体の回転（θｚ）により補正が可能となる。
【００７１】
また円筒面座突当て治具２０は円筒面座としたが、加工のしやすさを加味して球面座であってもかまわない。ただし、その場合、θｘのずれに配慮して調整することが必要であり、本質的には一軸まわりの回転でよい。
【図面の簡単な説明】
【００７２】
【図１】光ディスク装置の機構の概要を示す斜視図である。
【図２】２つの発光点を持つレーザパッケージの概念図である。
【図３】光ディスク上の方向の定義の説明図である。
【図４】円筒面座突当て治具とレーザパッケージとの関係を示す説明図である。
【図５】光源ユニットの光軸に沿う方向の断面図である。
【図６】変調ユニットを構成するレンズ鏡胴の斜視図である。
【図７】光源ユニットの調整のための測定装置の模式図である。
【図８】図７のオートコリメータ部におけるＣＣＤセンサ（不図示）上のスポット位置および大きさを白丸で示した図である。
【図９】調整シーケンスを示した模式図である。
【図１０】光源ユニットを用いた光ディスク装置の模式図である。
【図１１】調整方法の説明図である。
【符号の説明】
【００７３】
１００    ドライブベース
１１１    対物レンズ
２００    光ディスク
２１０    トラック
１    光源ユニット
２    測定装置
３    ピックアップ本体
３ａ    トラッキングエラー検出センサ
１０    レーザパッケージ
１０ａ，１０ｂ    発光点
２０    治具
２１    円筒凸面
３０    突当て板
３１    円筒凹面
３２    突当て面
４０    レンズ鏡胴
５０    コリメータレンズ
６０    二軸回転ステージ
７０    光源部
７０ａ    基準レーザ光
７１，７２    ビームスプリッタ
７３    ミラー
８０    オートコリメータ部
９０    自発光波面測定部
９１ａ，９１ｂ    ズームレンズ
９２ａ，９２ｂ    ピンホール
９３ａ，９３ｂ    カップリングレンズ
９４ａ，９４ｂ    干渉縞
【図１】
2006260663.tif 000003
【図２】
2006260663.tif 000004
【図３】
2006260663.tif 000005
【図４】
2006260663.tif 000006
【図５】
2006260663.tif 000007
【図６】
2006260663.tif 000008
【図７】
2006260663.tif 000009
【図８】
2006260663.tif 000010
【図９】
2006260663.tif 000011
【図１０】
2006260663.tif 000012
【図１１】
2006260663.tif 000013